(57)【要約】【課題】  ２種類のデザインが得られるメガネフレームを提供する。【解決手段】  一対のリム３、３と、両リム３、３間を一体に連結するブリッジ４とからなるフロント部２と、フロント部２の各リム３に連結手段５を介して連結されるとともに、フロント部２の裏面側及び表面側において、それぞれ所定の範囲内を回動可能なテンプル１９と、テンプル１９のフロント部２の裏面側及び表面側における回動範囲を制限する制限手段１４とを備える。フロント部２の裏面側又は表面側でテンプル１９、１９を回動させて、フロント部２のリム３、３、ブリッジ４、及びテンプル１９、１９の表面側又は裏面側を露出させることにより、その部分の色彩、模様、飾りによるデザインが得られるので、１つのメガネフレーム１で２種類のデザインが得られることになる。【選択図】        図１
2006047738.tif 000002
【特許請求の範囲】
【請求項１】
内側にレンズが装着される一対のリムと、両リム間を一体に連結するブリッジとからなるフロント部と、該フロント部の各リムに連結手段を介して連結されるとともに、該フロント部の裏面側及び表面側において、それぞれ所定の範囲内を回動可能なテンプルと、該テンプルのフロント部の裏面側及び表面側における回動範囲を制限する制限手段とを備えてなることを特徴とするメガネフレーム。
【請求項２】
前記連結手段は、前記各リムの端部に一体に設けられる固定片と、前記各テンプルの端部に一体に設けられる可動片と、前記固定片と前記可動片とを回動可能に連結するねじ締結体と、前記可動片と前記固定片とを圧接させる押圧部材とからなることを特徴とする請求項１に記載のメガネフレーム。
【請求項３】
前記制限手段は、前記固定片に設けられる固定側ストッパー部と、前記可動片に設けられるとともに、前記固定側ストッパー部の裏面側又は表面側に当接可能な一対の可動側ストッパー部とからなることを特徴とする請求項１又は２に記載のメガネフレーム。
【請求項４】
前記両リム間には、鼻当てが回動自在かつ所定の位置に位置決め可能に設けられていることを特徴とする請求項１から３の何れかに記載のメガネフレーム。
【発明の詳細な説明】
【技術分野】
【０００１】
本発明は、メガネフレームに関し、特に、２種類のデザインを備えたメガネフレームに関する。
【背景技術】
【０００２】
メガネフレームの一例として、内側にレンズが装着される一対の環状のリムと、両リムの内縁部間に連結される棒状のブリッジと、各リムの外縁部に連結されるＬ形状のヨロイと、各ヨロイに蝶番を介して回動自在に連結される棒状のテンプルと、各テンプルの先端部に装着されるモダンとを備えたものが知られている（例えば、特許文献１参照。）。
【０００３】
このような構成のメガネフレームにあっては、各リムの内側にそれぞれレンズを装着することによってメガネを構成し、このメガネを顔に装着することにより、メガネのレンズを通しての視界が得られる。また、表面に露出しているリム、ブリッジ、テンプル等の色彩、模様、飾り等によりそのメガネに特有のデザインが得られるものである。
【特許文献１】特開２０００−７５２４７号公報
【発明の開示】
【発明が解決しようとする課題】
【０００４】
ところで、上記のような構成のメガネフレームにあっては、表面に露出しているリム、ブリッジ、テンプル等の色彩、模様、飾り等によってそのメガネに特有のデザインが決定されてしまうため、他の色彩、模様、飾り等からなるデザインのものを欲する場合には、そのようなデザインを有する他のメガネを用意しなければならない。このため、複数のメガネを携帯しなければならないので、嵩張るとともに、経済的な負担が大きくなる。
【０００５】
本発明は、上記のような従来の問題を解決したものであって、１つのメガネフレームで異なる２種類のデザインのものが得られ、これにより携帯の際に嵩張ることがなく、また経済的な負担を軽減することもできるメガネフレームを提供することを目的とするものである。
【課題を解決するための手段】
【０００６】
上記のような課題を解決するために、本発明の請求項１に係るメガネフレームは、内側にレンズが装着される一対のリムと、両リム間を一体に連結するブリッジとからなるフロント部と、該フロント部の各リムに連結手段を介して連結されるとともに、該フロント部の裏面側及び表面側において、それぞれ所定の範囲内を回動可能なテンプルと、該テンプルのフロント部の裏面側及び表面側における回動範囲を制限する制限手段とを備えてなる手段を採用している。
【０００７】
また、本発明の請求項２に係るメガネフレームは、請求項１に記載のメガネフレームであって、前記連結手段は、前記各リムの端部に一体に設けられる固定片と、前記各テンプルの端部に一体に設けられる可動片と、前記固定片と前記可動片とを回動可能に連結するねじ締結体と、前記可動片と前記固定片とを圧接させる押圧部材とからなる手段を採用している。
【０００８】
さらに、本発明の請求項３に係るメガネフレームは、請求項１又は２に記載のメガネフレームであって、前記制限手段は、前記固定片に設けられる固定側ストッパー部と、前記可動片に設けられるとともに、前記固定側ストッパー部の裏面側又は表面側に当接可能な一対の可動側ストッパー部とからなる手段を採用している。
【０００９】
さらに、本発明の請求項４に係るメガネフレームは、請求項１から３の何れかに記載のメガネフレームであって、前記両リム間には、鼻当てが回動自在かつ所定の位置に位置決め可能に設けられている手段を採用している。
【発明の効果】
【００１０】
本発明は、前記のように構成したことにより、テンプルは、連結手段と制限手段との協働により、フロント部の裏面側及び表面側において、所定の範囲内を回動可能となる。
従って、テンプルをフロント部の裏面側において最大に回動させた状態でメガネフレームを顔に装着することにより、フロント部のリム、ブリッジ、及びテンプルの表面側が露出し、また、テンプルをフロント部の表面側において最大に回動させた状態でメガネフレームを顔に装着することにより、フロント部のリム、ブリッジ、及びテンプルの裏面側が露出することになる。
この結果、フロント部のリム、ブリッジ、及びテンプルの表面側の模様、色彩、飾りによるデザインと、フロント部のリム、ブリッジ、及びテンプルの裏面側の模様、色彩、飾りによるデザインとが得られることになるので、１つのメガネフレームで２つのデザインが得られることになり、携帯の際に嵩張りをなくすことができるとともに、経済的な負担を軽減させることもできる。
【発明を実施するための最良の形態】
【００１１】
以下、図面に示す本発明の実施の形態について説明する。
図１〜図４には、本発明によるメガネフレームの一実施の形態が示されていて、図１は全体を示す斜視図であって、フロント部及びテンプルの表面側を露出させた状態を示した説明図、図２は図１の連結手段の分解図、図３は図１の部分拡大図、図４は図１に示すメガネフレームのフロント部及びテンプルの裏面側を露出させた状態を示した説明図である。
【００１２】
すなわち、この実施の形態に示すメガネフレーム１は、一対のリム３、３と、両リム３、３間に連結されて、両リム３、３間を所定の間隔に保つブリッジ４とからなるフロント部２と、フロント部２の各リム３の外端部に連結手段５を介して回動可能に連結されるテンプル１９と、各テンプル１９の回動範囲を制限する制限手段１４と、両リム３、３間に設けられる鼻当て２０とを備えている。
【００１３】
各リム３は、環状をなすものであって、内周面に全周に渡ってレンズ保持用の溝（図示せず）が設けられ、このレンズ保持用の溝内にレンズの周縁部を挿入させ、この状態で各リム３を締め付けることにより、各リム３の内周側にレンズを保持することができる。
【００１４】
連結手段５は、リム３側に設けられる固定片６と、テンプル１９側に設けられる可動片１０と、固定片６と可動片１０とを相対的に回動自在に連結するねじ締結体１５と、固定片６と可動片１０とを圧接させる押圧部材１８とを備えている。
【００１５】
固定片６は、中心部にねじ挿通用の孔（図示せず）が貫通した状態で設けられる筒状の支持部７と、支持部７の外周面に一体に設けられるとともに、リム３の外端部に一体に連結される板状の取付け部８と、取付け部８に対向する支持部７の外周面に一体に設けられる板状の固定側ストッパー部９とから構成され、固定側ストッパー部９の裏面側及び表面側に後述する可動側ストッパー部１２、１３が当接可能に構成されている。
【００１６】
可動片１０は、中心部にねじ挿通用の孔（図示せず）が貫通した状態で設けられる円板状の支持部１１と、支持部１１の外周面に支持部１１を中心として対向して設けられる一対の板状の可動側ストッパー部１２、１３とから構成されている。
【００１７】
可動片１０の両可動側ストッパー部１２、１３の下端は、支持部１１の下面よりも下方に突出し、一方の可動側ストッパー部１２の突出している部分が固定片６の固定側ストッパー部９の裏面側に当接可能、他方の可動側ストッパー部１３の突出している部分が固定片６の固定側ストッパー部９の表面側に当接可能に構成されている。
【００１８】
可動片１０の両可動側ストッパー部１２、１３と固定片６の固定側ストッパー部９とにより制限手段１４が構成され、この制限手段１４の作動により、可動片１０と一体のテンプル１９の回動範囲が制限される。
【００１９】
可動片１０と固定片６は、固定片６の支持部７の上面に可動片１０の支持部１１の下面を密着させ、この状態で下方から固定片６の支持部７のねじ挿通用の孔及び可動片１０の支持部１１のねじ挿通用の孔内にねじ締結体１５のねじ１６を挿通させ、可動片１０の支持部１１の上面から上方に突出させたねじ１６の部分にねじ締結体１５のナット１７を螺合させて締め付けることにより、相対的に回動自在に連結される。
【００２０】
この場合、ねじ１６の頭部と固定片６の支持部７の下面との間には押圧部材である圧縮スプリング１８が装着され、この圧縮スプリング１８のばね力により固定片６の支持部７の上面と可動片１０の支持部１１の下面との間が圧接され、両者間にガタが生じるのが防止される。また、ナット１７の締付け力を調整して圧縮スプリング１８のばね力を調整することにより、固定片６と可動片１０との圧接力を調整することができる。
【００２１】
可動片１０の一方の可動側ストッパー部１２及び他方の可動側ストッパー部１３は、圧縮スプリング１８のばね力に抗して固定片６の固定側ストッパー部９を裏面側から表面側に、又は表面側から裏面側に乗り越え可能に構成されている。これにより、両テンプル１９、１９がフロント部２の裏面側において所定の範囲内（裏面と裏面に直交する位置との間）を回動可能、フロント部２の表面側において所定の範囲内（表面と表面に直交する位置との間）を回動可能となる。
【００２２】
鼻当て２０は、棒状をなすものをコ形状に屈曲させるとともに、両端部にそれぞれ環状の取付け部２１、２１を設け、各取付け部２１をねじ２２によって各リム３の内端部に回動自在に取り付けたものであって、フロント部２の裏面側の所定の位置と表面側の所定の位置との間を回動自在に構成されている。この場合、一方のリム３の内端部にはストッパー部２３が設けられ、このストッパー部２３に鼻当て２０の一部を当接させることにより、鼻当て２０のフロント部２の裏面方向への回動、フロント部２の表面方向への回動が制限される。
【００２３】
そして、上記のように構成したメガネフレームのフロント部２の裏面側で各テンプル１９を回動させて、各テンプル１９の可動片１０の一方の可動側ストッパー部１２を各リム３の固定片６の固定側ストッパー部９の裏面に当接させることにより、両テンプル１９、１９をフロント部２の裏面側で最大に開いた状態とする。
【００２４】
そして、この状態でメガネフレーム１を顔に装着することにより、フロント部２の両リム３、３、ブリッジ４、及び両テンプル１９、１９の表面側が露出し、それらの色彩、模様、飾りによるデザインが得られることになる。
【００２５】
一方、各テンプル１９の可動片１０の一方の可動側ストッパー部１２を各リム３の固定片６の固定側ストッパー部９を乗り越えさせて、各テンプル１９をフロント部２の表面側に位置させ、この状態で各テンプル１９を回動させて各テンプル１９の可動片１０の他方の可動側ストッパー部１３を各リム３の固定片６の固定側ストッパー部９の表面に当接させることにより、両テンプル１９、１９をフロント部２の表面側で最大に開いた状態とする。
【００２６】
そして、この状態でメガネフレーム１を顔に装着することにより、フロント部２の両リム３、３、ブリッジ４、及び両テンプル１９、１９の裏面側が露出し、それらの色彩、模様、飾りによるデザインが得られることになる。
【００２７】
上記のように構成したこの実施の形態によるメガネフレーム１にあっては、フロント部２の両リム３、３、ブリッジ４、及び両テンプル１９、１９の表面側の色彩、模様、飾りによるデザインと、フロント部２の両リム３、３、ブリッジ４、及び両テンプル１９、１９の裏面側の色彩、模様、飾りによるデザインの２種類のデザインが得られることになる。従って、１つのメガネフレーム１で２種類のデザインが得られることになるので、デザインの異なる２種類のメガネフレームを用意する必要はなく、携帯の際に嵩張りなくすことができる。また、１つのメガネフレーム１で２種類のデザインが得られるので、経済的な負担を軽減することもできる。
【００２８】
なお、前記の説明においては、本発明をフルリムタイプのメガネフレームに適用したが、他のタイプのメガネフレーム（ハーフリムタイプ、ツーポイントタイプ等）に本発明を適用しても良いものであり、その場合にも同様の作用効果が得られるものである。
【図面の簡単な説明】
【００２９】
【図１】本発明によるメガネフレームの一実施の形態を示した斜視図であって、フロント部及びテンプルの表面側を露出させた状態を示した説明図である。
【図２】図１のメガネフレームの連結手段の分解図である。
【図３】図１のメガネフレームの部分拡大図である。
【図４】図１のメガネフレームのフロント部及びテンプルの裏面側を露出させた状態を示した説明図である。
【符号の説明】
【００３０】
１  メガネフレーム
２  フロント部
３  リム
４  ブリッジ
５  連結手段
６  固定片
７  支持部
８  取付け部
９  固定側ストッパー部
１０  可動片
１１  支持部
１２  一方の可動側ストッパー部
１３  他方の可動側ストッパー部
１４  制限手段
１５  ねじ締結体
１６  ねじ
１７  ナット
１８  押圧部材（圧縮スプリング）
１９  テンプル
２０  鼻当て
２１  取付け部
２２  ねじ
２３  ストッパー部
【図１】
2006047738.tif 000003
【図２】
2006047738.tif 000004
【図３】
2006047738.tif 000005
【図４】
2006047738.tif 000006